(57)【要約】【課題】本発明は、極めて商品価値の高い画期的な廃棄物処理装置を提供することを目的とする。【解決手段】使用済みオムツや生ゴミなどの廃棄物１を処理するための廃棄物処理装置であって、廃棄物１を投入する投入部３が設けられた収納本体２を有し、この収納本体２には筒状の包み部材４が設けられ、この包み部材４は該包み部材４内に前記投入部３から投入される廃棄物１が収納されるように構成されており、この包み部材４に廃棄物１を収納した後、該包み部材４の廃棄物収納位置より上方の部位を止着する適宜な止着手段７が設けられたものである。【選択図】        図８
2004175508.tif 000002
【特許請求の範囲】
【請求項１】
使用済みオムツや生ゴミなどの廃棄物を処理するための廃棄物処理装置であって、廃棄物を投入する投入部が設けられた収納本体を有し、この収納本体には筒状の包み部材が設けられ、この包み部材は該包み部材内に前記投入部から投入される廃棄物が収納されるように構成されており、この包み部材に廃棄物を収納した後、該包み部材の廃棄物収納位置より上方の部位を止着する適宜な止着手段が設けられていることを特徴とする廃棄物処理装置。
【請求項２】
請求項１記載の廃棄物処理装置において、前記包み部材は、前記適宜な止着手段により止着された止着部が次の廃棄物を収納する廃棄物収納部の底部となるように構成された連続する筒体であることを特徴とする廃棄物処理装置。
【請求項３】
請求項１，２いずれか１項に記載の廃棄物処理装置において、前記包み部材は合成樹脂製であり、また、適宜な止着手段は熱融着手段であることを特徴とする廃棄物処理装置。
【請求項４】
請求項３記載の廃棄物処理装置において、前記熱融着手段は包み部材に巾方向の熱融着部を形成するように構成されていることを特徴とする廃棄物処理装置。
【請求項５】
請求項３，４いずれか１項に記載の廃棄物処理装置において、前記熱融着手段は、前記包み部材を挟持する挟持部を有し、この挟持部には発熱体が設けられたものであることを特徴とする廃棄物処理装置。
【請求項６】
請求項５記載の廃棄物処理装置において、前記挟持部は接離移動自在に対設される第一挟持部及び第二挟持部により構成され、この第一挟持部及び第二挟持部夫々の対向内面のうちの一方には発熱体が設けられ、他方には柔軟体が設けられていることを特徴とする廃棄物処理装置。
【請求項７】
使用済みオムツや生ゴミなどの廃棄物を処理するための廃棄物処理装置であって、廃棄物を投入する投入部が設けられた収納本体を有し、この収納本体には複数枚の有底の包み部材が重ね状態で設けられ、この包み部材は該包み部材内に前記投入部から投入される廃棄物が収納されるように構成されており、この包み部材に廃棄物を収納した後、該包み部材の廃棄物収納位置より上方の部位を止着する適宜な止着手段が設けられていることを特徴とする廃棄物処理装置。
【発明の詳細な説明】
【０００１】
【発明の属する技術分野】
本発明は、使用済みオムツや生ゴミなどの廃棄物を処理するための廃棄物処理装置に関するものである。
【０００２】
【従来の技術及び発明が解決しようとする課題】
従来から、廃棄物を処理するための廃棄物処理装置、例えば幼児用の使い捨てオムツを処理するオムツ処理器として、特開２００２−２２６００３号（以下、従来例）が提案されている。
【０００３】
この従来例は、シリンダとコンテナとで囲まれた環状領域に、管状コアからなるパッケージ収容手段としてのパックが回転可能な状態で配置された構造であり、このパックから引き出し自在に収納された可撓性チューブ内にオムツを収納してパックを回転させることで可撓性チューブを捩じり、順次この工程を繰り返すことで、ソーセージのような連続した状態で該可撓性チューブ内に廃棄物を一区画ずつ分けるようにして包装（パッケージング）していくものである。
【０００４】
しかし、この従来例は、その構造上、可撓性チューブを捩じることで他の部位と分離させる構造である為、この捩じり部が元に戻り、廃棄物の匂いが漏れたり液漏れをしたりする場合があって不衛生であり（最上部のパッケージ部分の捩れ部が元に戻ると匂い漏れや液漏れが生じる。）、特に、コンテナからパッケージングされたオムツを取り出す際、最上部の捩れ部の上方をカッターや鋏で可撓性チューブを切断した場合には、該捩れ部が元に戻り、開放してしまう場合があるとともに、次に使用すべく、可撓性チューブの下端（切断部）を結束するなどしなければならない。
【０００５】
本発明は、上述の問題点を解消し、極めて商品価値の高い画期的な廃棄物処理装置を提供する。
【０００６】
【課題を解決するための手段】
添付図面を参照して本発明の要旨を説明する。
【０００７】
使用済みオムツや生ゴミなどの廃棄物１を処理するための廃棄物処理装置であって、廃棄物１を投入する投入部３が設けられた収納本体２を有し、この収納本体２には筒状の包み部材４が設けられ、この包み部材４は該包み部材４内に前記投入部３から投入される廃棄物１が収納されるように構成されており、この包み部材４に廃棄物１を収納した後、該包み部材４の廃棄物収納位置より上方の部位を止着する適宜な止着手段７が設けられていることを特徴とする廃棄物処理装置に係るものである。
【０００８】
また、請求項１記載の廃棄物処理装置において、前記包み部材４は、前記適宜な止着手段７により止着された止着部６が次の廃棄物１を収納する廃棄物収納部の底部となるように構成された連続する筒体であることを特徴とする廃棄物処理装置に係るものである。
【０００９】
また、請求項１，２いずれか１項に記載の廃棄物処理装置において、前記包み部材４は合成樹脂製であり、また、適宜な止着手段７は熱融着手段７であることを特徴とする廃棄物処理装置に係るものである。
【００１０】
また、請求項３記載の廃棄物処理装置において、前記熱融着手段７は包み部材４に巾方向の熱融着部６を形成するように構成されていることを特徴とする廃棄物処理装置に係るものである。
【００１１】
また、請求項３，４いずれか１項に記載の廃棄物処理装置において、前記熱融着手段７は、前記包み部材４を挟持する挟持部８を有し、この挟持部８には発熱体９が設けられたものであることを特徴とする廃棄物処理装置に係るものである。
【００１２】
また、請求項５記載の廃棄物処理装置において、前記挟持部８は接離移動自在に対設される第一挟持部１０及び第二挟持部１１により構成され、この第一挟持部１０及び第二挟持部１１夫々の対向内面１０ａ，１１ａのうちの一方には発熱体９が設けられ、他方には柔軟体１２が設けられていることを特徴とする廃棄物処理装置に係るものである。
【００１３】
また、使用済みオムツや生ゴミなどの廃棄物１を処理するための廃棄物処理装置であって、廃棄物１を投入する投入部３が設けられた収納本体２を有し、この収納本体２には複数枚の有底の包み部材４が重ね状態で設けられ、この包み部材４は該包み部材４内に前記投入部３から投入される廃棄物１が収納されるように構成されており、この包み部材４に廃棄物１を収納した後、該包み部材４の廃棄物収納位置より上方の部位を止着する適宜な止着手段７が設けられていることを特徴とする廃棄物処理装置に係るものである。
【００１４】
【発明の作用及び効果】
本発明は、廃棄物１を収納本体２に設けた投入部３から投入すると、廃棄物１は筒状の包み部材４内に収納され、この廃棄物１が収納された包み部材４を適宜な止着手段７により止着する。
【００１５】
従って、前述した従来例のような捩って袋の口を閉じる構成ではないから、廃棄物１の匂い漏れや液漏れは確実に解消されることになり、非常に衛生的に廃棄物の処理が行われることになる。
【００１６】
以上のように、本発明は、従来にない画期的な作用効果を発揮し、極めて商品価値の高いものになる。
【００１７】
【発明の実施の態様】
図１〜１１本発明の第一実施例、図１２〜１４は第二実施例を図示したものであり、以下に説明する。
【００１８】
第一実施例について説明する。
【００１９】
第一実施例は、廃棄物１（使用済みの使い捨てオムツ）を処理するための廃棄物処理装置であって、廃棄物１を投入する投入部３が設けられた収納本体２を有し、この収納本体２には筒状の包み部材４が設けられ、この包み部材４は該包み部材４内に前記投入部３から投入される廃棄物１が収納されるように構成されており、この包み部材４に廃棄物１を収納した後、該包み部材４の廃棄物収納位置より上方の部位を止着する適宜な止着手段７が設けられたものである。
【００２０】
尚、本実施例は、廃棄物１として幼児用の使い捨てオムツを対象としているが、その他にも例えば成人用オムツや一般家庭の台所から出る生ゴミなどを対象としても良い。
【００２１】
以下、本実施例に係る構成各部について詳細な説明をする。
【００２２】
収納本体２は、上部開口部を有する容体部２Ａと、この容体部２Ａの上部開口部に着脱自在に設けられる閉塞部２Ｂとで構成されている。
【００２３】
容体部２Ａは、図１に図示したように適宜な合成樹脂製の部材をボックス状に形成したものであり、後述する包み部材４で廃棄物１がパッケージング処理された状態のものが所定量収納されるように構成されている。
【００２４】
また、容体部２Ａは、その上部開口部の近傍位置にして左右対向位置に閉塞部２Ｂを係止連結する為のバックル１３が設けられ、更に、この容体部２Ａの上部開口部所定位置には包み部材４を挿入する溝が設けられ、この溝には包み部材４を切る為のカッター部２８が設けられている。
【００２５】
閉塞部２Ｂは、図１に図示したように適宜な合成樹脂製の部材で形成したものであり、ドーム形状のケーシング部材１４と、このケーシング部材１４の下部に連設され、前記容体部２Ａの上部開口部に載置される板状の基部材１５とで構成されている。
【００２６】
ケーシング部材１４は、その上部に開閉蓋１６付きの開口部１４ａが設けられており、この開口部１４ａは廃棄物１を投入する為の投入部３として構成されている。
【００２７】
また、ケーシング部材１４は、上部開口部１４ａに連設する有底筒状部１７が一体形成されており、この有底筒状部１７の底部１７ａの中央位置には孔部１７ａ’が形成されるとともに、この有底筒状部１７内に包み部材４を収納した包み部材収納体１８が配設されている。
【００２８】
この包み部材収納体１８は、図２，３に図示したように適宜な合成樹脂製の部材を形成したものであり、外筒部１９ａと内筒部１９ｂと底部１９ｃとから成り、合成樹脂（ＰＥ）製の筒状の包み部材４が蛇腹状に折り畳み収納される平面視環状の容器部材１９と、この容器部材１９に係る内筒部１９ｂの上部開口縁に着脱自在に載置係止される環状板材２０とで構成されている。尚、包み部材４は可撓性を有する合成樹脂製の筒体であって、その上端が開口しているものや、予め上端が閉塞しているものがある。
【００２９】
この環状板材２０は、その外縁が容器部材１９に係る外筒部１９ａの上部開口縁までには届かず、所定の間隔Ｓが形成されるように構成されており、この間隔Ｓは、容器部材１９に収納された包み部材４を外部に引き出すための引出し口１８ａであり、この引出し口１８ａから引き出された包み部材４は環状板材２０の上面を通過した後、内筒部１９ｂの筒孔で構成される包み部材通過部１８ｂを通過して下方に引き出すことができるように構成されている。
【００３０】
符号１４ｂは、容体部２Ａに設けたバックル１３が係止するバックル係止部１４ｂ、２１は後述する熱融着手段７の作動を示すＬＥＤを視認し得るＬＥＤ視認部２１ａを有し、操作レバーの指掛けを良好にする指掛け凹部である。
【００３１】
基部材１５は、図４，５に図示したように、周縁部に容体部２Ａの上部開口部に載置係止される係止段部１５ａが形成されるとともに、中央部に所定径の孔部１５ｂが形成されている。
【００３２】
この孔部１５ｂは、前述した包み部材４を通過させるためのものである。
【００３３】
また、基部材１５には包み部材４に熱融着部６を形成する為の熱融着手段７が設けられている。
【００３４】
この熱融着手段７には、包み部材収納体１８から供給される包み部材４を挟持し得る挟持部８が設けられ、この挟持部８には発熱体９が設けられており、この挟持部８で包み部材４を挟持せしめた際、この包み部材４を熱融着することで該包み部材４の巾方向に熱融着部６を形成し得るように構成されている。
【００３５】
具体的には、前記挟持部８は、第一挟持部１０と、この第一挟持部１０に対して接離移動自在に対設される第二挟持部１１とで構成されている。
【００３６】
第一挟持部１０は、基部材１５の上部正面側位置にして孔部１５ｂの近傍位置に長尺部材２２を横設して構成されており、この第一挟持部１０の内面にして第二挟持部１１との対向内面１０ａに発熱体９（電熱線）が付設されている。
【００３７】
この発熱体９は、基部材１５に設けた図示省略の電気回路に接続され、スイッチのＯＮ操作により電流が流れることで発熱する。尚、この電気回路は、収納本体２から延設される図示省略の電気コードを介して電気が導入され、スイッチがＯＮ状態となって電流が流れた後、暫く（約１秒）してから自動的に電流の流れが停止する構造であり、また、この電流が流れている間は基部材１５の正面に設けられたＬＥＤ２３が点灯するように構成されている。
【００３８】
第二挟持部１１は、基部材１５の上部背面側位置にして孔部１５ｂの近傍位置に長尺部材２４を横設して構成されており、この第二挟持部１１は、その左右両端部に基部材１５の左右両側に形成されたガイド部２５に沿ってスライド移動する平面視コ字状の操作レバー２６に連設されている。従って、この操作レバー２６を引いたり押したりすることで、第二挟持部１１は孔部１５ｂの上方を横切るようにして第一挟持部１０に対して接離移動することになり、この操作レバー２６の引き操作によって第一挟持部１０と第二挟持部１１とで包み部材４を挟持した際、前述した電気回路のスイッチがＯＮ状態となる。
【００３９】
また、第二挟持部１１は、その内面にして第一挟持部１０との対向内面１１ａに適度な柔軟性を有して長尺の柔軟体１２（シリコンゴム）が付設されており、この柔軟体１２は、第一挟持部１０とで包み部材４を挟持した際、弾性を有する故に発熱体９による熱融着が良好に行われることになる。
【００４０】
また、第二挟持部１１は、その両端部にして操作レバー２６との連設部に発条２７が配設されており、この発条２７は、第二挟持部１１を第一挟持部１０の方向へ付勢するように構成されている。従って、この発条２７によっても発熱体９による熱融着が良好に行なわれることになる。
【００４１】
以上の構成からなる本実施例に係る廃棄物処理装置を利用した廃棄物の処理工程について説明する。
【００４２】
予め、包み部材収納体１８に包み部材４を配設しておく。この包み部材４は上下両端が開口した長尺筒体を下端から上端へ蛇腹状に折り畳んで配設しても良いし、下端のみが開口した長尺筒体を下端から上端へ蛇腹状に折り畳んで配設しても良い。前者の場合は、筒体の上端を包み部材収納体１８から下方へ引き動して最初に熱融着して使用し、後者の場合は、筒体の上部（天部）内面を包み部材収納体１８から下方に引き動してそのまま使用する。
【００４３】
まず、投入部３から廃棄物を投入すると、廃棄物１は包み部材４内に収納される（この際、予め包み部材４の下方位置には熱融着による底（熱融着部６）が既に形成されているようにする。）。
【００４４】
続いて、熱融着手段７に係る操作レバー２６を引き操作して挟持部８に係る第一挟持部１０と第二挟持部１１とで包み部材４を挟持させることで、該包み部材４に熱融着による熱融着部６を形成する。この際、形成される熱融着部６は次の廃棄物１を収納する廃棄物収納部の底となる。
【００４５】
この作業を順次繰り返し行うことで、包み部材４に形成される一の熱融着部６と他の熱融着部６との間に廃棄物１がパッケージングされたものが連続した状態で収納本体２内に収納されることになる。
【００４６】
その後、収納本体２内から取り出す際には、閉塞部２Ｂを左右のバックル１３を解除して容体部２Ａから取り外し、この状態でカッター部２８を利用して包み部材４をカットする（この包み部材４をカットした後、次に廃棄物１を処理することに備えて予め熱融着手段７により熱融着部６を形成しておくことが望ましい。）。尚、包み部材４のカットはカッター部２８を使用しなくても鋏で切るようにして良い。
【００４７】
本実施例は上述のように構成したから、前述した従来例と異なり、熱融着により密閉できる為、廃棄物１の匂い漏れや液漏れは確実に解消されることになり、非常に衛生的に廃棄物の処理が行われることになる。
【００４８】
また、本実施例は、熱融着手段７に係る挟持部８を構成する第一挟持部１０及び第二挟持部１１夫々の対向内面１０ａ，１１ａのうちの一方に発熱体９を設け、他方に柔軟体１２を設けたから、確実に一方に設けた発熱体９に対して他方に設けた柔軟体１２が押圧することで良好な熱融着が行なわれる。
【００４９】
次に、第二実施例について説明する。
【００５０】
第二実施例は、図１２，１３，１４に図示したように、収納本体２を構成する容体部２Ａに夫々底部４ａを有する包み部材４を適宜複数枚重ねて収納し、この包み部材４に廃棄物１（オムツ）を投入して上方に引き出す際、熱融着手段７によって熱融着するタイプのものである。
【００５１】
従って、この実施例であれば廃棄物１を包み部材４に収納して収納本体１に溜めずに直ちに処理することができる。
【００５２】
その余は第一実施例と同様である。
【図面の簡単な説明】
【図１】第一実施例を示す斜視図である。
【図２】第一実施例に係る要部を説明する斜視図である。
【図３】第一実施例に係る要部を説明する断面図である。
【図４】第一実施例に係る要部を説明する斜視図である。
【図５】第一実施例に係る要部を説明する斜視図である。
【図６】第一実施例に係る要部を説明する側断面図である。
【図７】第一実施例に係る要部を説明する側断面図である。
【図８】第一実施例の使用状態説明図である。
【図９】第一実施例の使用状態説明図である。
【図１０】第一実施例の使用状態説明図である。
【図１１】第一実施例の使用状態説明図である。
【図１２】第二実施例の使用状態説明図である。
【図１３】第二実施例の使用状態説明図である。
【図１４】第二実施例の使用状態説明図である。
【符号の説明】
１  廃棄物
２  収納本体
３  投入部
４  包み部材
６  止着部
７  止着手段・熱融着手段
８  挟持部
９  発熱体
１０  第一挟持部
１０ａ  対向内面
１１  第二挟持部
１１ａ  対向内面
１２  柔軟体
【図１】
2004175508.tif 000003
【図２】
2004175508.tif 000004
【図３】
2004175508.tif 000005
【図４】
2004175508.tif 000006
【図５】
2004175508.tif 000007
【図６】
2004175508.tif 000008
【図７】
2004175508.tif 000009
【図８】
2004175508.tif 000010
【図９】
2004175508.tif 000011
【図１０】
2004175508.tif 000012
【図１１】
2004175508.tif 000013
【図１２】
2004175508.tif 000014
【図１３】
2004175508.tif 000015
【図１４】
2004175508.tif 000016